(57)【要約】本発明は、音源を出力する玩具において、音源出力部、玩具の位置及び動き情報を測定するセンサ部、センサ部によって測定された位置及び動き情報を電子機器に伝送し、電子機器から音源及び制御命令を受信する通信部及び音源出力部を制御して、受信された音源を制御命令に従って調節して再生する制御部を含む玩具を提供する。【選択図】  図２
2021511125.tif 000002
【特許請求の範囲】
【請求項１】
音源を出力する玩具において、
音源出力部と、
前記玩具の位置情報、位置移動情報、位置移動時間情報、移動速度情報、及び移動加速度情報のうちの少なくとも一つを含む位置及び動き情報を測定するセンサ部と、
前記センサ部によって測定された位置及び動き情報を電子機器に伝送し、前記電子機器から音源及び制御命令を受信する通信部と、
前記音源出力部を制御して、前記受信された音源を前記制御命令に従って調節して再生する制御部と、を含み、
前記制御部は、前記測定された位置及び動き情報に基づいてユーザの状態を判断し、前記判断結果に従って前記電子機器から前記音源以外の他の音源を受信して再生するように制御する、玩具。
【請求項２】
前記制御部は、前記測定された位置及び動き情報に基づいて生成された動きパターンを用いて前記ユーザの年齢を推定し、前記推定されたユーザの年齢に応じて既に設定された年齢別の音源グループ内の音源を受信して再生するように制御する、請求項１に記載の玩具。
【請求項３】
前記制御命令は、既に設定された位置及び動き情報と音源の音量及び音速の関係テーブルを用いて提供された、前記測定された位置及び動き情報に対する音源の音量及び音速の値を含む、請求項１に記載の玩具。
【請求項４】
前記制御部は、前記位置移動情報及び前記移動速度情報を介して、前記玩具の位置変動と位置移動速度が既に設定された範囲内で一定の時間維持される場合、前記ユーザの状態を眠気状態と判断し、前記電子機器から前記音源以外の他の音源を受信して再生するように制御する、請求項１に記載の玩具。
【請求項５】
外部音声を収集する外部音声収集部と、
ユーザ生体情報を測定する生体情報測定部と、をさらに含み、
前記電子機器は、前記測定された位置及び動き情報が既に設定された値を一定の時間維持し、前記外部音声収集部によって収集された音声データ及び前記生体情報測定部によって測定された生体情報データが既に設定された値を超過する場合、当該音源を問題音源として管理する、請求項１に記載の玩具。
【発明の詳細な説明】
【技術分野】
【０００１】
本発明は、玩具及びユーザカスタマイズ玩具システムに関する。
【背景技術】
【０００２】
最近、多様な分野でユーザカスタマイズ製品に対する技術開発が活発になされており、これに伴う様々な種類のユーザカスタマイズ製品が発売されている。
【０００３】
玩具分野においても、従来の物理的装置を用いた製品及び一部に電子装置を用いて動作する形態の製品から脱して、多様な形態のユーザカスタマイズ製品が開発されている。
【０００４】
特に、音源を出力する玩具製品の場合には、いかなる方式でユーザの状態を確認し、これを考慮した音源を再生するのかについて、様々な側面における接近が試みられている。
【発明の概要】
【発明が解決しようとする課題】
【０００５】
本発明においては、玩具及びユーザカスタマイズ玩具システム、具体的には、音源を出力し、ユーザの状態及び環境を考慮した玩具及び玩具システムを提供しようと思う。
【０００６】
本発明において成そうとする技術的課題は、以上で言及した技術的課題に制限されず、言及していない他の技術的課題は、下の記載から本発明の属する技術分野における通常の知識を有する者に明確に理解され得るだろう。
【課題を解決するための手段】
【０００７】
上述したような課題を解決するため、本発明は、音源を出力する玩具において、音源出力部、玩具の位置及び動き情報を測定するセンサ部、センサ部によって測定された位置及び動き情報を電子機器に伝送し、電子機器から音源及び制御命令を受信する通信部及び音源出力部を制御して、受信された音源を制御命令に従って調節して再生する制御部を含む玩具を提供する。
【０００８】
また、位置及び動き情報は、位置情報、位置移動情報、位置移動時間情報、移動速度情報、及び移動加速度情報のうちの少なくとも一つを含む玩具を提供する。
【０００９】
また、制御命令は、既に設定された位置及び動き情報と音源の音量及び音速の関係テーブルを用いて提供された、測定された位置及び動き情報に対する音源の音量及び音速の値を含む玩具を提供する。
【００１０】
また、制御部は、通信部を制御して、測定された位置及び動き情報が既に設定された値を一定の時間維持する場合、電子機器から音源以外の他の音源を受信する玩具を提供する。
【００１１】
また、外部音声を収集する外部音声収集部及びユーザ生体情報を測定する生体情報測定部をさらに含み、電子機器は、測定された位置及び動き情報が既に設定された値を一定の時間維持し、外部音声収集部によって受信された音声データ及び生体情報測定部によって受信された生体情報データが既に設定された値を超過する場合、当該音源を問題音源として管理する玩具を提供する。
【発明の効果】
【００１２】
本発明の実施形態による、音源を出力し、ユーザの状態及び環境を考慮した玩具及び玩具システムによれば、ユーザ一人一人の特性または周辺環境を考慮して音源を選択し調節して出力することができ、リアル感のある音源によるユーザの没入度を増加させ、ユーザの活用度を増加させることができる。
【００１３】
また、ユーザの反応を考慮した音源の提供を通じて、ユーザの感性を刺激し、ユーザの感情変化に対応して適切な音源を提供することにより、ユーザに安定感を提供することができる。
【００１４】
本発明から得られる効果は、以上で言及した効果に制限されず、言及していない他の効果は、下の記載から本発明の属する技術分野における通常の知識を有する者に明確に理解され得るだろう。
【図面の簡単な説明】
【００１５】
【図１】本発明の一実施形態によるユーザカスタマイズ玩具システムを示したものである。
【図２】本発明の一実施形態による玩具の構成を示したものである。
【図３】本発明の一実施形態による玩具の斜視図を示したものである。
【図４】本発明の一実施形態による位置及び動き情報と音源の音量及び音速の関係テーブルの構成を示したものである。
【図５】本発明の他の実施形態による位置及び動き情報と音源の音量及び音速の関係テーブルの構成を示したものである。
【発明を実施するための形態】
【００１６】
以下、本発明による好ましい実施形態を添付の図面を参照して詳細に説明する。
【００１７】
添付の図面と共に、以下に開示される詳細な説明は、本発明の例示的な実施形態を説明しようとするものであり、本発明が実施され得る唯一の実施形態を示そうとするものではない。
【００１８】
図面において、本発明を明確に説明するために説明と関係のない部分は省略することができ、明細書全体を通じて同一または類似の構成要素に対しては同一の参照符号を使用することができる。
【００１９】
本発明の一実施形態において、「または」、「少なくとも一つ」などの表現は、共に羅列された単語のうち一つを示したり、または、２以上の組み合わせを示したりすることができる。
【００２０】
例えば、「ＡまたはＢ」、「Ａ及びＢのうちの少なくとも一つ」は、ＡまたはＢのうちの一つだけを含むことができ、ＡとＢを全て含むこともできる。
【００２１】
図１は、本発明の一実施形態によるユーザカスタマイズ玩具システムを示したものである。
【００２２】
図１を参照すると、本発明のユーザカスタマイズ玩具システム１は、玩具１０、電子機器２０、及びサーバ３０を含んでよい。
【００２３】
以下、実施形態では、玩具１０をガラガラ１０を中心に説明するが、本発明がこれに制限されるわけではなく、多様な玩具に同一な技術的思想を適用できることは自明である。
【００２４】
ガラガラ１０は、位置及び動き情報を測定するセンサ部を備え、ガラガラ１０の位置、位置移動、位置移動時間、位置移動速度、及び位置移動加速度などの位置及び動き情報を測定し、測定された位置及び動き情報を電子機器２０に伝送することができる。
【００２５】
電子機器２０は、ガラガラ１０から受信した位置及び動き情報を用いて、音源を決定し、決定された音源をガラガラ１０に伝送することができる。
【００２６】
具体的に、電子機器２０は、ガラガラ１０の位置移動が確認されれば、これをガラガラ１０の使用モードと認識し、ガラガラ音源をガラガラ１０に伝送することができ、ガラガラ１０は受信された音源を再生することができる。
【００２７】
また、電子機器２０は、ガラガラ１０の位置移動速度と位置移動加速度とを考慮し、位置移動速度または位置移動加速度が特定の区間に該当する場合、音源の音量及び音速を調節して、再生するための制御命令をガラガラ１０に伝送することができる。
【００２８】
すなわち、ガラガラ１０の移動速度が速かったり、移動速度の変化が大きく増加したりする場合、当該変化に対応して音源の音量と音速を調節することにより、ガラガラ１０で再生される音源のリアル感を増加させることができる。
【００２９】
電子機器２０は、位置及び動き情報に対する音源の音量及び音速の関係テーブルを既に設定して格納したり、サーバ３０から受信して格納したりすることができ、受信された位置及び動き情報を関係テーブルに適用し、当該音源の音量及び音速の値を抽出することができ、抽出された音源の音量及び音速の値を制御命令に含めて伝送することができる。
【００３０】
ガラガラ１０は、受信した制御命令に従って、受信された音源の音量と音速などをリアルタイムに調節して再生することができる。
【００３１】
一方、電子機器２０は、位置及び動き情報を介して、一定の時間位置移動がなかったり、一定の時間位置移動速度及び位置移動加速度が設定範囲以下であったりする場合、ガラガラ音源の伝送を中断し、他の音源をガラガラ１０に伝送することができる。
【００３２】
具体的に、当該他の音源は、風の音の音源、波の音の音源、小川の流れる音の音源などの聴覚を発達させる音源グループのうちの一つであってもよく、子犬の音源、猫の音源、小鳥の音源などの聴覚を刺激する音源グループのうちの一つであってもよく、お母さんの音声の音源、お父さんの音声の音源、家族の音声の音源などのユーザに安定感を提供する音源グループのうちの一つであってもよく、子守歌の音源、スリーピングアルファの音源、クラシックの音源などの睡眠を誘導する音源グループのうちの一つであってもよい。
【００３３】
当該グループのうち、どのような音源を選択するのかは、既に設定されて格納されたり、サーバ３０から受信された動きパターンによるユーザの現在の状態をビッグデータ分析資料を用いて決定されたりしてもよい。
【００３４】
例えば、ガラガラ１０の位置が一定の範囲で移動するものの、特定の周期で速度が増加する場合、これをユーザの眠気状態と判断し、睡眠を誘導する音源グループのうちの一つの音源を提供することができる。
【００３５】
また、ガラガラ１０の移動加速度が大きく増加する場合、ユーザの怒り及び不安状態と判断し、安定感を提供する音源グループのうちの一つの音源を提供することができる。
【００３６】
当該パターンの決定は、ビッグデータ分析資料を用いて決定するものの、リアルタイムまたは一定の間隔でアップデートされてよく、提供された音源によるユーザの反応もまたビッグデータ分析資料に反映されてよい。
【００３７】
また、ガラガラ１０は、ユーザの生体情報を測定し、ユーザの音声を収集し、測定され収集されたデータを電子機器２０に伝送することができる。
【００３８】
ユーザの生体情報は体温情報及び脈拍情報を含んでよく、電子機器２０は、既に受信された位置及び動き情報に追加的にユーザの体温情報、脈拍情報、及び音声情報を用いて、現在のユーザの状態、状況、及び環境を正確に認知し、当該状態、状況、及び環境に応じて最も適切な音源をガラガラ１０に提供することができる。
【００３９】
例えば、ガラガラ１０の移動加速度が大きく増加しているが、ユーザの泣き声が感知されず、脈拍が多少増加する場合には、ユーザの怒り及び不安状態ではないユーザの楽しい状態と認識し、ガラガラ音源の伝送を維持するものの、ガラガラ音源の音速を増加させるように制御することができる。
【００４０】
一方、音源、音量、及び音速の変化によって、ユーザの状態が既に設定された範囲以上に急激に変動する場合には、当該音源、音量、及び音速の変化に対するユーザの否定的な反応と認識することができる。
【００４１】
具体的に、音源を変更した時、急激にガラガラ１０の位置が移動したり、ガラガラ１０の移動速度が急激に変化したりする場合、ユーザが当該音源を嫌がっていると判断し、当該音源を変更することができる。
【００４２】
電子機器２０は、否定的な音源と当該音源が再生される時、対応する位置及び動き情報、ユーザの生体情報、及びユーザの音声をサーバ３０に伝送して、ビッグデータ分析資料として活用することができる。
【００４３】
また、電子機器２０は、サーバ３０から受信したビッグデータ分析資料を介してユーザに提供された音源、音量、音速情報による反応情報を格納することができ、当該格納された情報を用いて、ユーザカスタマイズ形態のガラガラ１０を提供することができる。
【００４４】
例えば、ユーザそれぞれに対して既に格納された反応情報を用いて、虎の音源に対しては再生を排除し、象の音源に対しては再生の頻度を増加させることができる。
【００４５】
また、ガラガラ１０から受信される位置及び動き情報とこれを用いた動きパターン情報を用いて、ユーザを特定し、特定されたユーザに合う音源を提供することができる。
【００４６】
例えば、電子機器２０にユーザに関する情報を入力していない場合にも、ガラガラ１０の動き情報とパターン情報などを用いてユーザを特定することができ、当該ユーザに対してグループ化された選好音源と非選好音源とを区分し、選好音源が再生され得るように制御されてよい。
【００４７】
また、ガラガラ１０の動き情報とパターン情報などを用いてユーザの年齢を推定し、推定された年齢に対応する既に設定された年齢別の音源グループ内で音源が再生され得るように制御されてよい。
【００４８】
また、電子機器２０は、ガラガラ１０から収集されたユーザの生体情報とユーザの音声情報を介して、ユーザの状態を確認し、確認されたユーザの状態と位置及び動き情報との関係及び比較を通じて、特定の動きパターンとユーザの状態との関係情報を確認することができる。
【００４９】
その後、確認された特定の動きパターンとユーザの状態との関係情報を用いて、特定の音源に対して否定的な反応を示す場合、当該音源を問題音源に分類することができる。
【００５０】
動きパターンとユーザの状態との関係情報は、当該情報が累積する毎にまたはリアルタイムにアップデートされてよく、特定のユーザの関係情報または特定の年齢帯の関係情報として活用されてもよい。
【００５１】
当該情報は、電子機器２０からサーバ３０に伝送され、ビッグデータ分析のためのデータとして活用されてよい。
【００５２】
図２は、本発明の一実施形態による玩具１０の構成を示したものである。
【００５３】
先に言及したように、玩具１０は、説明の便宜のためにガラガラ１０を一例として説明するが、本発明がこれに制限されるわけではない。
【００５４】
図２を参照すると、ガラガラ１０は、音源出力部１００、センサ部１１０、通信部１２０、外部音声収集部１３０、生体情報測定部１４０、及び制御部１５０を含んでよい。
【００５５】
音源出力部１００は、多様な種類の音源を再生することができ、同一の音源に対して音速または音量をリアルタイムに調節して出力することができる。
【００５６】
センサ部１１０は、位置及び動き情報、具体的には、ガラガラ１０の位置、位置移動、位置移動時間、位置移動速度、及び位置移動加速度などの位置及び動き情報を測定することができる。
【００５７】
一例として、センサ部１１０はジャイロセンサ及び加速度センサを含んでよい。
【００５８】
通信部１２０は、ネットワークを介して電子機器２０と有線／無線で連結され、センサ部１１０で測定された位置及び動き情報を電子機器２０に伝送したり、電子機器２０から音源または制御命令などのデータを受信したりすることができる。
【００５９】
一例として、通信部１２０は、ＬＴＥ（long-term evolution）モジュール、ＬＴＥ−Ａ（LTE Advance）モジュール、ＣＤＭＡ（code division multipleaccess）モジュール、ＷＣＤＭＡ（wideband CDMA）（登録商標）モジュール、ＵＭＴＳ（universal mobile telecommunications system）モジュール、ＷｉＢｒｏ（Wireless Broadband）モジュール、ＧＳＭ（Global System for Mobile Communications）モジュール、ＷｉＦｉ（wireless fidelity）モジュール、ブルートゥース（Bluetooth）（登録商標）モジュール、ＮＦＣ（near field communication）モジュール、ＧＮＳＳ（global navigation satellite system）モジュール、ＵＳＢ（universal serial bus）モジュール、ＨＤＭＩ（high definition multimediainterface）（登録商標）モジュール、ＲＳ−２３２（recommended standard232）モジュール、及びＰＯＴＳ（plain old telephone service）モジュールのうちの少なくとも一つを含んでよい。
【００６０】
外部音声収集部１３０は、ユーザの音声またはユーザの周辺環境の音などの音声データを収集し、ユーザまたは周辺環境の状態を確認することができる。
【００６１】
一例として、外部音声収集部１３０は、子供の泣き声、ユーザの音声の急激な変動、雷鳴などの音を収集することができる。
【００６２】
生体情報測定部１４０は、ユーザの生体情報を測定して、ユーザの現在の状態を確認することができる。
【００６３】
一例として、生体情報測定部１４０は、脈拍センサ及び体温センサを含んでよく、ユーザの脈拍の変化、ユーザの体温の変化などを測定して、現在のユーザの状態、具体的には、不安状態、興奮状態などを確認することができる。
【００６４】
制御部１５０は、電子機器２０から受信される音源及び制御命令に従って音源出力部１００を制御し、音源を調節して再生することができる。
【００６５】
制御命令は、センサ部１１０によって測定された位置及び動き情報に従って、電子機器２０内の格納された位置及び動き情報と音源の音量及び音速の関係テーブルを用いて提供された、音源の音量及び音速の値を含み、制御部１５０は音源の音量及び音速の値に従って受信された音源が当該音量または当該音速で出力され得るように制御することができる。
【００６６】
また、制御部１５０は、測定された位置及び動き情報が既に設定された値を一定の時間維持する場合には通信部１２０を介して、電子機器２０から、現在再生される音源以外の他の音源を受信するように制御することができる。
【００６７】
一例として、ガラガラ音源が位置及び動き情報に従って音速と音量がリアルタイムに調節され再生される間、特定の区間において位置移動速度が減少して位置の変動が均一な状態が一定の時間維持される場合、ユーザの眠気状態と認知し、電子機器２０から受信された誘導する音源グループ内の音源を再生するように制御することができる。
【００６８】
図３は、本発明の一実施形態による玩具１０の斜視図を示したものである。
【００６９】
図３を参照すると、ガラガラ（玩具）１０は、本体部２００の外観を合成樹脂材、具体的には、艶のあるＡＢＳ（acrylonitrile butadienestyrene）樹脂を使用して、人体に直接接触する領域の有害性及び衛生問題を解決することができる。
【００７０】
また、本体部２００の上端部と下端部にはシリコン材質のカバー２１０が分離可能に備えられ、ガラガラ１０がユーザから離脱する場合に発生し得る衝突などの問題に備えることができ、特定のユーザに対しては、当該シリコン材質のカバーが歯の発育期の用途として活用されてよい。
【００７１】
また、当該カバー２１０は、ユーザの必要に応じて交替可能なように備えられてよい。
【００７２】
一方、本実施形態においては、本体部２００の外観材料をＡＢＳ樹脂で、カバー２１０の材料をシリコンが適用されることを一例として説明したが、本発明がこれに制限されるわけではなく、本発明の技術的特徴が具現され得る多様な材料を適用することができ、ガラガラ（玩具）１０の外形もまた必要に応じて多様な形態に変更されてよいことは自明である。
【００７３】
図４は、本発明の一実施形態による位置及び動き情報と音源の音量及び音速の関係テーブルの構成を示したものである。
【００７４】
図４を参照すると、位置及び動き情報のうち、位置移動情報と移動速度情報による音量及び音速の加重値が記載されている。
【００７５】
位置移動情報は、ガラガラ（玩具）１０の位置移動距離の値を含んでよく、移動速度情報は、ガラガラ（玩具）１０の移動速度の値を含んでよい。
【００７６】
位置移動が５０ｍｍ以下である場合と移動速度が１ｃｍ／ｓ以下である場合には、正常原音の音量と音速をそのまま維持することができる。
【００７７】
また、位置移動が２００ｍｍと２５０ｍｍとの間の範囲にあって、移動速度が８ｃｍ／ｓと９ｃｍ／ｓとの間の範囲である場合には、正常原音の音量と音速とを１．８５倍増加させて再生することができる。
【００７８】
同じ方式で、位置移動が６００ｍｍ以上であって移動速度が１２ｃｍ／ｓである場合には、正常原音の音量と音速とを５倍増加させて再生することができる。
【００７９】
一方、本実施形態においては、位置移動情報と移動速度情報による音量及び音速の加重値の値をテーブル内に記載しているが、位置情報、位置移動情報、位置移動時間情報、移動速度情報、移動加速度情報のうちの少なくとも一つを含む入力値による音量及び音速のうちの少なくとも一つを含む出力値をテーブル内に記載できることは自明である。
【００８０】
また、音量と音速の値は、正常音源の音量と音速による相対加重値の値に指定されてもよく、絶対値に指定されてもよい。
【００８１】
また、音量と音速の値は、従属的な関係、例えば同一の相対加重値または同一の絶対値に指定されてよく、独立的な関係、具体的には、位置情報、位置移動情報、移動速度情報、移動加速度情報のうちの少なくとも一つを含む入力値に従って音量と音速の値がそれぞれ個別的に分離して指定されてもよい。
【００８２】
また、図４の関係テーブルに対して、位置移動情報と位置移動時間情報を受信し、これを移動速度情報に変換した後に結果の値を導出することもできる。
【００８３】
すなわち、関係テーブルの入力値に従って、受信された入力情報を演算またはデータ処理して、該当する入力値に変換して適用できることは自明である。
【００８４】
図５は、本発明の他の実施形態による位置及び動き情報と音源の音量及び音速の関係テーブルの構成を示したものである。
【００８５】
図５を参照すると、位置及び動き情報のうち位置移動情報と位置移動時間情報による音量及び音速の加重値を確認することができる。
【００８６】
位置移動情報は、ガラガラ（玩具）１０の位置移動距離の値を含んでよく、位置移動時間情報は、ガラガラ（玩具）１０の位置移動によって要した時間の値を含んでよい。
【００８７】
具体的に、ガラガラ（玩具）１０の位置移動が３００ｍｍと３５０ｍｍとの間の範囲にあり、位置移動に要した時間が０．４秒と０．５秒との間の範囲である場合には、正常原音の音量と音速とを２．５倍増加させて再生することができる。
【００８８】
また、位置移動が６００ｍｍ以上であり、位置移動に要した時間が０．２秒と０．３秒との間の範囲である場合には、正常原音の音量と音速を４．６倍増加させて再生することができる。
【００８９】
一方、本実施形態においては、位置移動と位置移動に要した時間の値によって同一の音量と音速の値が適用される場合を記載しているが、本発明がこれに制限されるわけではなく、位置移動と位置移動に要した時間の値による音量値のテーブルと、位置移動と位置移動に要した音速の値のテーブルとが別途に備えられてよいことは自明である。
【００９０】
また、図４を通じて記載された技術的構成は、図５にも同一に適用されてよいことは自明である。
【００９１】
本明細書と図面に開示された本発明の実施形態は、本発明の技術内容を容易に説明し、本発明の理解を助けるために特定の例を提示したに過ぎず、本発明の範囲を限定しようとするわけではない。
【００９２】
したがって、本発明の範囲は、ここに開示された実施形態以外にも本発明の技術的思想をもとに導出される全ての変更または変形された形態が本発明の範囲に含まれるものと解釈されなければならない。
【図１】
2021511125.tif 000003
【図２】
2021511125.tif 000004
【図３】
2021511125.tif 000005
【図４】
2021511125.tif 000006
【図５】
2021511125.tif 000007
【国際調査報告】
2021511125.tif 000008
2021511125.tif 000009
2021511125.tif 000010
2021511125.tif 000011